(57)【要約】【課題】抗電磁波効果を有し、使用者の人体神経、細胞、精子、卵子及び胎児を保護する人体の健康に有益な抗電磁波健康下着を提供する。【解決手段】  抗電磁波健康下着において、下着本体は、内層及び該内層の外側に結合する外層を含み、そのうち、該下着本体の内層は、綿糸及び天然繊維又は人工繊維の編み込みからなり、そのうち、該外層は、綿糸、天然繊維又は人口繊維のうちの１つ、及び、含銀繊維又は含ステンレス繊維の編み込みからなる抗電磁波健康下着である。【選択図】図１
0003162977.tif 000002
【実用新案登録請求の範囲】
【請求項１】
抗電磁波健康下着であって、該下着の下着本体の上方に襟口を有し、下方に下開口を有し、且つ該下着本体の左右両側は、それぞれ袖口を有し、
該下着本体は、内層及び該内層の外側に結合する外層を含み、そのうち該下着本体の内層は、綿糸及び天然繊維又は人工繊維の編み込みからなり、そのうち該外層は、綿糸及び含銀繊維、天然繊維及び含銀繊維又は人口繊維、及び、含銀繊維の編み込みからなることを特徴とする抗電磁波健康下着。
【請求項２】
前記下着本体の内層は、綿糸及び天然繊維、綿糸及び人工繊維、天然繊維及び人工繊維又は綿糸、天然繊維及び人工繊維の編み込みからなることを特徴とする請求項１記載の抗電磁波健康下着。
【請求項３】
前記下着本体の外層は、綿糸、天然繊維及び含銀繊維又は綿糸、人工繊維及び含銀繊維又は天然繊維、人工繊維及び含銀繊維の編み込みからなることができることを特徴とする請求項１記載の抗電磁波健康下着。
【請求項４】
前記の各含銀繊維は、綿糸及び銀繊維のツイスト糸、天然繊維及び銀繊維のツイスト糸又は人工繊維及び銀繊維のツイスト糸であり、且つそのうち、該各含銀繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする請求項１記載の抗電磁波健康下着。
【請求項５】
前記の各含銀繊維は、綿糸及び銀繊維のツイスト糸、天然繊維及び銀繊維のツイスト糸又は人工繊維及び銀繊維のツイスト糸であり、且つそのうち、該各含銀繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする請求項３記載の抗電磁波健康下着。
【請求項６】
抗電磁波健康下着であって、該下着の下着本体の上方に襟口を有し、下方に下開口を有し、且つ該下着本体の左右両側は、それぞれ袖口を有し、
該下着本体は、内層及び該内層の外側に結合する外層を含み、そのうち、該下着本体の内層は、綿糸及び天然繊維又は人工繊維の編み込みからなり、そのうち、該外層は、綿糸及び含ステンレス繊維、天然繊維及び含ステンレス繊維又は人口繊維及び含ステンレス繊維の編み込みからなることを特徴とする抗電磁波健康下着。
【請求項７】
前記下着本体の内層は、綿糸及び天然繊維、綿糸及び人工繊維、天然繊維及び人工繊維又は綿糸、天然繊維及び人工繊維の編み込みからなることを特徴とする請求項６記載の抗電磁波健康下着。
【請求項８】
前記下着本体の外層は、綿糸、天然繊維及び含ステンレス繊維又は綿糸、人工繊維及び含ステンレス繊維又は天然繊維、人工繊維及び含ステンレス繊維の編み込みからなることができることを特徴とする請求項６記載の抗電磁波健康下着。
【請求項９】
前記の各含ステンレス繊維は、綿糸及び銀繊維のツイスト糸、天然繊維及び銀繊維のツイスト又は人工繊維及び銀繊維のツイスト糸であり、且つそのうち、該各含ステンレス繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする請求項６記載の抗電磁波健康下着。
【請求項１０】
前記の各含ステンレス繊維は、綿糸及び銀繊維のツイスト糸、天然繊維及び銀繊維のツイスト糸又は人工繊維及び銀繊維のツイスト糸であり、且つそのうち、該各含ステンレス繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする請求項８記載の抗電磁波健康下着。
【請求項１１】
前記下着は、長袖下着、短袖下着又は袖無しのタンクトップ下着であることを特徴とする請求項６記載の抗電磁波健康下着。
【考案の詳細な説明】
【技術分野】
【０００１】
本考案は、抗電磁波健康下着に関し、下着本体の外層が、綿糸及び天然繊維又は人工繊維のうちの１つと含銀繊維又は含ステンレス繊維との編み込みからなり、抗電磁波効果を有し、相対して、使用者の人体神経、細胞、精子、卵子及び胎児を保護でき、人体の健康に有益である抗電磁波健康下着に関する。
【背景技術】
【０００２】
日常生活において、例えば、コンピュータ、携帯電話、家庭用電気製品、コピー機等の電子製品の使用は、日増しに頻繁になり、職場において接触する電子設備又は関連製品は、何れも知らないうちに電磁波を発生し、長時間、電磁波に暴露又は接触する環境において、人体の健康に対して影響を及ぼし、例えば、心血管、生殖系統、遺伝子、免疫系統、内分泌、血液循環、脳神経等に対して障害を招く可能性があり、更には、腫瘍等の多種の病変を招く恐れがある。
【０００３】
続いて、従来の技術では、例えば、衣類の布材料を被覆、含浸によって導電性を与えるか、布材料に直接導電性材料を塗布することで、抗電磁波機能を相対して有するが、前記の布材料は、厚く重いだけでなく、着心地が悪く、更には、数回の選択で部分的な脱落を招く可能性があり、抗電磁波作業を確実に達成することができない。
【０００４】
更に、粘着剤を利用し、金属地のガーゼに粘着した布材料は、抗電磁波機能を有するが、人体と接触する接触感が快適でなく、且つ同様に複数回の洗濯で抗電磁波作用が低下し易い。
【０００５】
本考案者は、抗電磁機能を提供する下着を前提とし、着用の快適性に影響を及ぼさないことを考慮し、絶え間ない研究及び改良を経て、抗電磁波健康下着を考案設計するものである。
【先行技術文献】
【特許文献】
【０００６】
【特許文献１】特開２００４−１６９２６５
【考案の概要】
【考案が解決しようとする課題】
【０００７】
本考案の目的は、下着本体の外層の含銀繊維又は含ステンレス繊維により抗電磁波効果を有することができ、下着装着者の人体神経、細胞、精子、卵子及び胎児を保護する効果を相対して有し、且つ人体の健康に有効的である抗電磁波健康下着を提供することにある。
【０００８】
本考案の次の目的は、その下着本体の内層が綿糸、天然繊維又は人工繊維の編み込むことにより、使用者が装着時、良好な触感及び装着の快適感を兼ね備えることができる抗電磁波健康下着を提供することにある。
【課題を解決するための手段】
【０００９】
本考案の抗電磁波健康下着は、下着本体の上方に襟口を有し、下方に下開口を有し  且つ該下着本体の左右両側は、それぞれ袖口を有し、該下着本体は、内層及び該内層の外側に結合する外層を含み、そのうち、該下着本体の内層は、綿糸及び天然繊維又は人工繊維の編み込みからなり、そのうち、該外層は、綿糸、天然繊維又は人口繊維のうちの1つ及び含銀繊維又は含ステンレス繊維の編み込みからなることを特徴とする。
【００１０】
すなわち、請求項１の考案は、抗電磁波健康下着であって、該下着の下着本体の上方に襟口を有し、下方に下開口を有し、且つ該下着本体の左右両側は、それぞれ袖口を有し、該下着本体は、内層及び該内層の外側に結合する外層を含み、そのうち該下着本体の内層は、綿糸及び天然繊維又は人工繊維の編み込みからなり、そのうち該外層は、綿糸及び含銀繊維、天然繊維及び含銀繊維又は人口繊維、及び、含銀繊維の編み込みからなることを特徴とする。
【００１１】
請求項２の考案は、請求項１記載の抗電磁波健康下着であって、前記下着本体の内層は、綿糸及び天然繊維、綿糸及び人工繊維、天然繊維及び人工繊維又は綿糸、天然繊維及び人工繊維の編み込みからなることを特徴とする。
請求項３の考案は、請求項１記載の抗電磁波健康下着であって、前記下着本体の外層は、綿糸、天然繊維及び含銀繊維又は綿糸、人工繊維及び含銀繊維又は天然繊維、人工繊維及び含銀繊維の編み込みからなることができることを特徴とする。
請求項４の考案は、請求項１記載の抗電磁波健康下着であって、前記の各含銀繊維は、綿糸及び銀繊維のツイスト糸、天然繊維及び銀繊維のツイスト糸又は人工繊維及び銀繊維のツイスト糸であり、且つそのうち、該各含銀繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする。
請求項５の考案は、請求項３記載の抗電磁波健康下着であって、前記の各含銀繊維は、綿糸及び銀繊維のツイスト糸、天然繊維及び銀繊維のツイスト糸又は人工繊維及び銀繊維のツイスト糸であり、且つそのうち、該各含銀繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする。
【００１２】
請求項６の考案は、抗電磁波健康下着であって、該下着の下着本体の上方に襟口を有し、下方に下開口を有し、且つ該下着本体の左右両側は、それぞれ袖口を有し、
該下着本体は、内層及び該内層の外側に結合する外層を含み、そのうち、該下着本体の内層は、綿糸及び天然繊維又は人工繊維の編み込みからなり、そのうち、該外層は、綿糸及び含ステンレス繊維、天然繊維及び含ステンレス繊維又は人口繊維及び含ステンレス繊維の編み込みからなることを特徴とする。
【００１３】
請求項７の考案は、請求項６記載の抗電磁波健康下着であって、前記下着本体の内層は、綿糸及び天然繊維、綿糸及び人工繊維、天然繊維及び人工繊維又は綿糸、天然繊維及び人工繊維の編み込みからなることを特徴とする。
請求項８の考案は、請求項６記載の抗電磁波健康下着であって、前記下着本体の外層は、綿糸、天然繊維及び含ステンレス繊維又は綿糸、人工繊維及び含ステンレス繊維又は天然繊維、人工繊維及び含ステンレス繊維の編み込みからなることができることを特徴とする。
請求項９の考案は、請求項６記載の抗電磁波健康下着であって、前記の各含ステンレス繊維は、綿糸及び銀繊維のツイスト糸、天然繊維及び銀繊維のツイスト又は人工繊維及び銀繊維のツイスト糸であり、且つそのうち、該各含ステンレス繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする。
【００１４】
請求項１０の考案は、請求項８記載の抗電磁波健康下着であって、前記の各含ステンレス繊維は、綿糸及び銀繊維のツイスト糸、天然繊維及び銀繊維のツイスト糸又は人工繊維及び銀繊維のツイスト糸であり、且つそのうち、該各含ステンレス繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸であることを特徴とする。
請求項１１の考案は、請求項６記載の抗電磁波健康下着であって、前記下着は、長袖下着、短袖下着又は袖無しのタンクトップ下着であることを特徴とする。
【考案の効果】
【００１５】
上記のように、本考案は、以下の増進効果を帰納的に有する。
１．下着２の下着本体２１の外層２１２の含銀繊維により抗電磁波効果を有することができ、下着装着者の人体神経、細胞、精子、卵子及び胎児を保護する効果を相対して有し、且つ人体の健康に有益である。
２．下着２の下着本体２１の内層２１１は、綿糸、天然繊維又は人工繊維の編み込みからなるので、使用者が着用時に良好な触感及び装着の快適感を兼ね備えることができる。
【図面の簡単な説明】
【００１６】
【図１】本考案の実施例の立体外観図である。
【図２】本考案の実施例の部分断面拡大説明図である。
【考案を実施するための形態】
【００１７】
本考案の好適な抗電磁波健康下着の実施例を図面を参照して説明する。
図１、図２に示すように、本考案の抗電磁波或いは電磁波遮断の健康下着は、該下着２の下着本体２１の上方に襟口２２を有し、下方に下開口２３を有し、且つ該下着本体２１の左右両側は、それぞれ袖口２４を有する。
【００１８】
本考案の実施例の特徴は、以下のようなものである。
抗電磁波健康下着２の下着本体２１は、内層２１１及び該内層２１１の外側に結合する外層２１２を含み、そのうち、該下着本体２１の内層２１１は、肌触りがよく又汗を吸収し、使用者が着用時に良好な触感及び装着の快適感を得るため、綿糸及び天然繊維又は人工繊維の編み込みからなり、そのうち、該外層２１２は、綿糸、天然繊維又は人口繊維のうちの１つ、及び、抗電磁波効果を有する含銀繊維又は含ステンレス繊維の編み込みからなる。
【００１９】
更に、前記下着本体２１の内層２１１は、綿糸及び天然繊維、綿糸及び人工繊維、天然繊維及び人工繊維又は綿糸、天然繊維及び人工繊維の編み込みからなることができる。
【００２０】
また、前記下着本体２１の外層２１２は、綿糸、天然繊維及び含銀繊維又は含ステンレス繊維の編み込みからなることができ、綿糸、人工繊維及び含銀繊維又は含ステンレス繊維の編み込みからなるか、天然繊維、人工繊維及び含銀繊維又は含ステンレス繊維の編み込みからなることもできる。
【００２１】
また、前記の各含銀繊維は、綿糸及び銀繊維のツイスト糸(撚糸)、天然繊維及び銀繊維のツイスト糸又は人工繊維及び銀繊維のツイスト糸であり、且つそのうち、該各含銀繊維は、９０％〜５０％の綿糸及び１０〜５０％の銀繊維のツイスト糸、又は９０％〜５０％の天然繊維及び１０〜５０％の銀繊維のツイスト糸、又は９０％〜５０％の人工繊維及び１０〜５０％の銀繊維のツイスト糸である。
【００２２】
また、前記の各含ステンレス繊維は、綿糸及びステンレス繊維のツイスト糸、又は天然繊維及びステンレス繊維のツイスト糸、又は人工繊維及びステンレス繊維のツイスト糸であり、且つそのうち、該各含ステンレス繊維は、９０％〜５０％の綿糸及び１０〜５０％のステンレス繊維のツイスト糸、又は９０％〜５０％の天然繊維及び１０〜５０％のステンレス繊維のツイスト糸、又は９０％〜５０％の人工繊維及び１０〜５０％のステンレス繊維のツイスト糸である。
【００２３】
更に、前記の実施例は、短袖下着を例として説明するが、実際には、長袖下着、袖無しのタンクトップ下着の何れも本考案に適用することができる。
【００２４】
以上のように、本考案の実施例の抗電磁波健康下着２によれば、下着本体２１の外層２１２の含銀繊維により抗電磁波効果を有することができ、下着装着者の人体神経、細胞、精子、卵子及び胎児を保護する効果を相対して有し、且つ人体の健康に有益である。また、下着２の下着本体２１の内層２１１は、綿糸、天然繊維又は人工繊維の編み込みからなるので、使用者が着用時に良好な触感及び装着の快適感を兼ね備えることができる。
【符号の説明】
【００２５】
２  下着(抗電磁波健康下着)
２１  下着本体
２１１  内層
２１２  外層
２２  襟口
２３  下開口
２４  袖口
【図１】
0003162977.tif 000003
【図２】
0003162977.tif 000004